(57)【要約】【課題】  比較的小さな電磁力で遮断機構部を動作させることができる回路遮断器の電磁引き外し装置を提供する。【解決手段】  ボビン２に巻回されて遮断対象の電路電流が流れるコイル１と、コイル１の中心軸上に配置されたオイルダッシュポット３と、オイルダッシュポット３との間で発生する磁力により吸引動作する可動電磁片４と、オイルダッシュポット３及び可動電磁片４を経由してコイル周りの磁路を形成するための継鉄５とを有し、継鉄５にコイル１が固定されると共に可動電磁片４が回動可能に支持され、可動電磁片４は略Ｌ字状に折り曲げ形成された一方の折り曲げ片４ａにオイルダッシュポット３に吸引される吸引板４１を備えると共に、他方の片４ｂを継鉄５に回動可能に係合させ、折り曲げた部位には遮断機構部を遮断動作させる解除片７に掛合する引き外し片４３が形成されて成る。【選択図】  図１
2015179628.tif 000002
【特許請求の範囲】
【請求項１】
遮断対象の電路に流れる過電流を検知する過電流検知機構部と、前記電路に設けられた接点を開操作して電路を遮断する遮断機構部とを有し、過電流検知機構部は過電流により生ずる電磁力により変移して前記遮断機構部に掛合動作する引き外し片を有して、当該引き外し片の変移により引き外し片が前記遮断機構部の解除片に掛合して前記遮断機構部が遮断動作して前記電路が遮断される回路遮断器の電磁引き外し装置であって、
前記引き外し片と前記解除片とは対向するよう略直線状に配置されて重なり部を有すると共に、少なくとも前記解除片は回動軸を有して前記引き外し片との掛合作用により回動し、
掛合開始時は、前記引き外し片の基部と前記解除片の先端とが掛合し、前記解除片の回動により掛合点が前記引き外し片の先端と前記解除片の基部に移動することを特徴とする回路遮断器の電磁引き外し装置。
【請求項２】
前記過電流検知機構部が、ボビンに巻回された前記電路の電流が流れるコイルと、コイルの中心軸上に配置されたオイルダッシュポットと、前記オイルダッシュポットとの間で発生する磁力により吸引動作する可動電磁片と、前記オイルダッシュポット及び前記可動電磁片を経由して前記コイル周りの磁路を形成するための継鉄とを有し、
前記継鉄に前記コイルが固定されると共に前記可動電磁片を回動可能に支持する支持部が設けられる一方、
前記可動電磁片は略Ｌ字状に折り曲げ形成され、折り曲げた一方の片に前記オイルダッシュポットに吸引される吸引板が形成され、他方の片の端部に前記支持部に係合して回動中心となる掛合部を有し、
折り曲げた部位に、前記解除片に掛合する引き外し片が突設され、
前記可動電磁片の吸引動作により前記引き外し片が変移することを特徴とする請求項１記載の回路遮断器の電磁引き外し装置。
【請求項３】
前記過電流検知機構部が、コ字状に形成されて前記電路を囲むように配置した固定電磁片と、前記固定電磁片の開放部に配置され、端部が前記固定電磁片に軸着された可動電磁片とを有し、
前記可動電磁片が前記引き外し片であって、前記電路に流れる過電流により発生する磁力により前記可動電磁片が前記固定電磁片に回動吸引されるとこで、前記解除片に掛合することを特徴とする請求項１記載の回路遮断器の電磁引き外し装置。
【請求項４】
前記過電流検知機構部が、ボビンに巻回された前記電路の電流が流れるコイルと、コイルの中心軸上に配置されて過電流を受けて前記コイル内引き込み動作するプランジャと、を有し、
前記プランジャの先端に、前記引き外し片がプランジャの移動方向に略直交するよう組み付けられて成ることを特徴とする請求項１記載の回路遮断器の電磁引き外し装置。
【発明の詳細な説明】
【技術分野】
【０００１】
本発明は回路遮断器の電磁引き外し装置に関し、詳しくは過電流検知機構部と遮断機構部との掛合作用を改良した電磁引き外し装置に関する。
【背景技術】
【０００２】
回路遮断器において、短絡電流等の過電流が発生したらそれを検知して電路を遮断する遮断機構部を動作させる過電流検知機構部には、電路で構成したコイルの中央にオイルダッシュポットを配置して可動電磁片を吸引操作するもの（例えば、特許文献１参照）、電路を囲むように固定電磁片と可動電磁片とを配置して、可動電磁片を吸引操作するもの（例えば、特許文献２参照）、電路で構成したコイルの中央にプランジャを配置してプランジャの引き込み動作を利用したもの（例えば、特許文献３参照）等がある。
何れの過電流検知機構部も、電路に流れる過電流により発生する磁力で変移する引き外し片を備えて、この変移により遮断機構部を遮断操作させるよう構成されている。
【先行技術文献】
【特許文献】
【０００３】
【特許文献１】特開２０１０−１７６９０６号公報
【特許文献２】特開２０１０−２６２７８２号公報
【特許文献３】特開２００１−１２６６０５号公報
【発明の概要】
【発明が解決しようとする課題】
【０００４】
上記従来の過電流検知機構部と遮断機構部との掛合関係は、何れも過電流の発生により変移する引き外し片を、遮断機構部側の解除片に掛合させてラッチ状態にある遮断機構部のラッチを解除させて遮断動作させるものである。
この引き外し片と解除片の掛合は、互いの先端同士或いは特定の１点が掛合するよう構成され、回転モーメントの作用を効果的に利用するよう構成されてはいなかった。
そのため、例えばコイルを用いる機構ではコイルの巻回数が多くなり電磁装置全体が大きなものとなっていた。
【０００５】
そこで、本発明はこのような問題点に鑑み、比較的小さな電磁力で遮断機構部を動作させることができる回路遮断器の電磁引き外し装置を提供することを目的としている。
【課題を解決するための手段】
【０００６】
上記課題を解決する為に、請求項１の発明は、遮断対象の電路に流れる過電流を検知する過電流検知機構部と、電路に設けられた接点を開操作して電路を遮断する遮断機構部とを有し、過電流検知機構部は過電流により生ずる電磁力により変移して遮断機構部に掛合動作する引き外し片を有して、当該引き外し片の変移により引き外し片が遮断機構部の解除片に掛合して遮断機構部が遮断動作して電路が遮断される回路遮断器の電磁引き外し装置であって、引き外し片と解除片とは対向するよう略直線状に配置されて重なり部を有すると共に、少なくとも解除片は回動軸を有して引き外し片との掛合作用により回動し、掛合開始時は、引き外し片の基部と解除片の先端とが掛合し、解除片の回動により掛合点が引き外し片の先端と解除片の基部に移動することを特徴とする。
この構成によれば、引き外し片の変移により最初に引き外し片の基部が解除片の先端に掛合動作し、その後解除片の基部に引き外し片の先端が掛合して遮断動作が行われるため、力のモーメントの原理により、掛合開始時は支点から作用点までの距離が短く比較的小さい力で解除片を操作することが可能となる。そして、回動の後半では引き外し片の先端で解除片を操作するため、回動支点から作用点までの距離を大きくなり、解除片を大きく移動操作でき、確実に操作できる。
【０００７】
請求項２の発明は、請求項１に記載の構成において、過電流検知機構部が、ボビンに巻回された電路の電流が流れるコイルと、コイルの中心軸上に配置されたオイルダッシュポットと、オイルダッシュポットとの間で発生する磁力により吸引動作する可動電磁片と、オイルダッシュポット及び可動電磁片を経由してコイル周りの磁路を形成するための継鉄とを有し、継鉄にコイルが固定されると共に可動電磁片を回動可能に支持する支持部が設けられる一方、可動電磁片は略Ｌ字状に折り曲げ形成され、折り曲げた一方の片にオイルダッシュポットに吸引される吸引板が形成され、他方の片の端部に支持部に係合して回動中心となる掛合部を有し、折り曲げた部位に、解除片に掛合する引き外し片が突設され、可動電磁片の吸引動作により引き外し片が変移することを特徴とする。
この構成によれば、引き外し片が回動しながら解除片と掛合するが、可動電磁片の支点である回動中心と吸引板の間に引き外し片が配置されるため、回動中心から掛合点までの距離、即ち支点から作用点までの距離が支点から力点である吸引板までの距離に対して小さい。よって、力のモーメントの原理によりスタート時は小さな電磁力で遮断機構部を遮断動作させることができ、コイルを小さくでき電磁引き外し装置の小型化が可能となる。
【０００８】
請求項３の発明は、請求項１に記載の構成において、過電流検知機構部が、コ字状に形成されて電路を囲むように配置した固定電磁片と、固定電磁片の開放部に配置され、端部が固定電磁片に軸着された可動電磁片とを有し、可動電磁片が引き外し片であって、電路に流れる過電流により発生する磁力により可動電磁片が固定電磁片に回動吸引されるとこで、解除片に掛合することを特徴とする。
この構成によれば、引き外し片も回動しながら解除片と掛合するが、可動電磁片の支点である回動中心から掛合点までの距離、即ち支点から作用点までの距離が変化し、最初は短く、後半は長くなる。よって、力のモーメントの原理により小さな電磁力で遮断機構部を遮断動作をスタートさせることができ、電磁引き外し装置の小型化が可能となる。
【０００９】
請求項４の発明は、請求項１に記載の構成において、過電流検知機構部が、ボビンに巻回された電路の電流が流れるコイルと、コイルの中心軸上に配置されて過電流を受けてコイル内引き込み動作するプランジャと、を有し、プランジャの先端に、引き外し片がプランジャの移動方向に略直交するよう組み付けられて成ることを特徴とする。
なる
この構成によれば、引き外し片は平行移動して解除片に掛合して回動させることで、支点であるプランジャとの連結部から作用点である掛合点までの距離を、最初は短く後半では長くできる。よって、力のモーメントの原理によりスタート時は小さな電磁力で遮断機構部を遮断動作させることができ、コイルを小さくでき、電磁引き外し装置の小型化が可能となる
【発明の効果】
【００１０】
本発明によれば、引き外し片の変移により最初に引き外し片の基部が解除片の先端に掛合動作し、その後解除片の奥部に引き外し片の先端が掛合して遮断動作が行われるため、力のモーメントの原理により、掛合開始時は支点から作用点までの距離が短く比較的小さい力で解除片を操作することが可能となる。そして、回動の後半では引き外し片の先端で解除片を操作するため、回動支点から作用点までの距離を大きくなり、解除片を大きく移動操作でき、確実に操作できる。
【図面の簡単な説明】
【００１１】
【図１】本発明に係る回路遮断器の電磁引き外し装置の第１の形態を示し、オイルダッシュポットを備えた電磁引き外し装置の側面説明図であり、（ａ）は過電流が流れない定常状態、（ｂ）は過電流発生を受けて検知動作した状態を示している。
【図２】図１の電磁引き外し装置の斜視図である。
【図３】図１のコイルと可動電磁片と継鉄の関係を示す斜視図である。
【図４】図１の電磁引き外し装置の動作説明図であり、可動電磁片が回動を開始した直後の状態を示し、（ａ）は全体の側面図、（ｂ）はＡ部拡大図である。
【図５】図１の電磁引き外し装置の動作説明図であり、可動電磁片がオイルダッシュポットに密着する直前の状態を示し、（ａ）は全体の側面図、（ｂ）はＢ部拡大図である。
【図６】電磁引き外し装置を組み付けた回路遮断器本体の斜視図である。
【図７】回路遮断器の電磁引き外し装置の第２の形態を示し、固定電磁片と可動電磁片とから成る電磁引き外し装置の側面説明図であり、（ａ）は過電流が流れていない定常状態、（ｂ）は過電流の発生を受けて検知動作を開始した状態のＣ部、（ｃ）は検知動作が終了した状態のＣ部を示している。
【図８】回路遮断器の電磁引き外し装置の第３の形態を示し、プランジャを備えた電磁引き外し装置の側面説明図であり、（ａ）は過電流が流れていない定常状態、（ｂ）は過電流の発生を受けて検知動作を開始した状態、（ｃ）は検知動作が終了した状態を示している。
【発明を実施するための形態】
【００１２】
以下、本発明を具体化した実施の形態を、図面を参照して詳細に説明する。
＜第１の形態＞
図１は回路遮断器の電磁引き外し装置の第１の形態の一例を示し、オイルダッシュポットを備えた電磁引き外し装置の側面説明図であり、（ａ）は過電流が流れていない定常状態、（ｂ）は過電流発生を受けて引き外し動作した状態を示している。
図１において、１は遮断対象電路Ｌ一部を成して電路電流が流れるコイル、２はコイル１を巻回するボビン、３はボビン２の中心軸上に配置されるオイルダッシュポット、４はオイルダッシュポット３との間で発生する磁力によりオイルダッシュポット３に吸引動作する可動電磁片、５はオイルダッシュポット３及び可動電磁片４と連携してコイル１周りの磁路を形成するための継鉄、６は可動電磁片４を開放方向へ付勢させるコイルバネである。
【００１３】
また、７は可動電磁片４の所定部位に係合し、ラッチ状態を解除して電路Ｌを遮断する遮断機構部（図示せず）を動作させる解除片、８は回路遮断器の負荷側端子を構成する負荷座であり、以下ボビン２の中心軸Ｍを縦方向、負荷座８の方向Ｎを前方として説明する。
【００１４】
図２は、この電磁引き外し装置のうち、電路Ｌに発生した過電流を感知する電磁ユニット１０の斜視図を示している。図２において、１１は電路Ｌを開閉する接点部の一方を構成する可動接点１１ａを有する可動接触子、１２はコイル１から可動接触子１１へ至る電路Ｌを形成する可撓導線である。コイル１は、一端が負荷座８に接続され、他端は可撓導線１２に接続されている。
ボビン２は、合成樹脂製の絶縁体で形成され、中心軸Ｍ方向の一端が継鉄５との係合部を備えて継鉄５に連結され、他端は可動電磁片４を保持する保持片２１が突設されている。この保持片２１により、可動電磁片４とオイルダッシュポット３との距離が一定に保持され、製品バラツキの発生を無くして安定した遮断動作を実現させている。
そして、ボビン２の中心に貫設されている貫通孔２ａ（図３に示す）にオイルダッシュポット３が挿入配置されている。
【００１５】
図３は、コイル１と可動電磁片４と継鉄５の関係を示している。この図３に示すように、継鉄５はＬ字形状を成して前方に延びた横部材５ａと、直交する上方に延びた縦部材５ｂを有し、横部材５ａにコイル１が巻回されたボビン２が固定され、オイルダッシュポット３が挿通孔５１に挿通される。縦部材５ｂは可動電磁片４を回動可能に支持する支持部５０が先端に形成されている。尚、５２はコイル１の接続部であり、負荷座８は横部材５ａの先端に形成されている。
【００１６】
可動電磁片４はＬ字形状を成し、前方を向く一方の片４ａはオイルダッシュポット３に吸引動作する吸引板４１であり、略平坦に形成されて図２に示すようにボビン２の上面を覆うように配置されている。また、下方に垂下するよう形成された他方の片４ｂは、継鉄５に掛合して回動中心となるコ字状の掛合部４２が下部の左右両端に形成され、継鉄５の支持部５０に係合する。
そして、中央の折り曲げ部には、解除片７に掛合する引き外し片４３が形成されている。この引き外し片４３は、他方の片４ｂに連続するよう形成され、回動中心から直線を成す方向に突出形成され、可動電磁片４がオイルダッシュポット３に吸引されて回動動作することで、遮断機構部を遮断動作させる解除片７に掛合する。
また、引き外し片４３が形成された一方の片４ａの基部には開口部４４が形成され、解除片７の先端が挿入可能となっている。
【００１７】
上記の如く構成された電磁引き外し装置の動作は以下の様である。但し、発明の要部である可動電磁片４と解除片７の掛合動作を中心に説明する。図４，図５は可動電磁片４と解除片７の動作説明図であり、この図４、図５を参照して以下説明する。尚、図４は可動電磁片４が回動を開始した直後の状態を示し、（ａ）は全体の側面図、（ｂ）はＡ部拡大図であり、図５はオイルダッシュポットに接触する直前の状態を示し、（ａ）は全体の側面図、（ｂ）はＢ部拡大図である。
【００１８】
先ず、引き外し片４３と解除片７の位置関係を説明する。図４、図５において、Ｍ１は可動電磁片４の回動中心、Ｍ２は解除片７の回動軸であり、解除片７の回動軸Ｍ２は、可動電磁片４の回動中心Ｍ１から直線状に配置された他方の片４ｂの延長方向に突設されている。また、解除片７は可動電磁片７の回動中心Ｍ１方向に配向され、先端が引き外し片４３の前面側に重なる様に配置されている。
【００１９】
この配置状態において、電路Ｌに過電流が発生すると、コイル１に過電流が流れてオイルダッシュポット３と吸引板４１との間に大きな磁力（吸引力）が発生して、可動電磁片４がコイルバネ６の弾性力に抗してオイルダッシュポット３に密着する方向へ回動する。その結果、引き外し片４３が解除片７に掛合して回動させ、図示しない遮断機構部を遮断動作させる。
このときの可動電磁片４と解除片７の掛合は以下の様に変化する。図４においてＳは可動電磁片４と解除片７の当接部（掛合点）であり、可動電磁片４が回動を開始すると、Ｓで示す解除片７の先端（下端）に引き外し片４３の基部が当接する。その後、当接部Ｓは途中から図５で示すように引き外し片４３の先端に移り、解除片７の奥部に当接して回動を継続する。
【００２０】
そのため、掛合開始時は可動電磁片４の回動中心Ｍ１から当接部Ｓまでの距離ｒ１を半径として円弧Ｒ１を描くよう引き外し片４３は回動して掛合する一方、解除片７は回動軸Ｍ２から当接点Ｓまでの距離ｒ２を半径として円弧Ｒ２を描くよう回動を開始する。
その後、図５に示すように、可動電磁片４の回動中心Ｍ１から当接部Ｓまでの距離ｒ３を半径とする円弧Ｒ３を描くよう引き外し片４３は回動しながら掛合を継続し、解除片７は回動軸Ｍ２から当接点Ｓまでの距離ｒ４を半径として円弧Ｒ４を描くよう回動を継続する。
【００２１】
この結果、ｒ１＜ｒ３、ｒ２＞ｒ４の関係をもって掛合が行われ、回動開始段階では、可動電磁片４の回動中心Ｍ１に比較的近い部位が解除片７に当接することで、力のモーメントの原理により比較的小さな回転力で解除片７を操作できる。
その後、回動が進むと引き外し片４３の先端が解除片７の奥部に掛合して回動することで、引き外し片４３の先端の移動量を利用して解除片７を大きく移動させることができ、確実に操作できる。
【００２２】
図６は、上記の如く構成された電磁引き外し装置を備えた回路遮断器本体２０の斜視図であり、三相電路に使用する回路遮断器に適用した構成を示している。図６において、３０は電路Ｌをオン／オフ操作する操作ハンドル、３１は電源側端子、３２は負荷座８が配置された負荷側端子である。
【００２３】
このように、可動電磁片４の回動支点である回動中心Ｍ１と吸引板４１の中間位置に引き外し片４３が配置されるため、回動中心Ｍ１から引き外し片４３までの距離、即ち支点から作用点までの距離が支点から力点である吸引板４１までの距離に対して小さい。よって、力のモーメントの原理によりスタート時は小さな電磁力で遮断機構部を遮断動作させることができ、電磁引き外し装置の小型化が可能となる。
特に、可動電磁片４の回動により、最初に引き外し片４３の基部を解除片７の先端に掛合動作させ、その後解除片７の奥部に引き外し片４３の先端を掛合させて遮断動作させるため、掛合開始時は吸引板４１とボビン２とは離れていて電磁吸引力が小さいが、解除片７を操作することが可能となる。
一方、回動の後半では吸引板４１とボビン２とは近くなるため電磁吸引力は大きくなるため、回動支点から作用点までの距離が大きくなるが引き外し片４３の先端で解除片７を容易に操作でき、解除片７を大きく移動させて確実な操作を実施できる。
【００２４】
＜第２の形態＞
図７は、回路遮断器の電磁引き外し装置の第２の形態の一例を示し、固定電磁片と可動電磁片とから成る電磁引き外し装置の側面説明図である。図７において、（ａ）は過電流が流れていない定常状態、（ｂ）は過電流検知動作を開始した状態のＣ部、（ｃ）はＣ部の拡大図であり過電流検知動作が終了した状態のＣ部を示している。
２３はコ字状に形成されて電路Ｌを囲むように配置した固定電磁片、２４は固定電磁片２３の開放部に配置され、端部が固定電磁片２３に軸着された可動電磁片、２５は解除片、２６は遮断機構部、２７は可動接点２７ａを備えた可動接触子、２８は固定接点２８ａを備えた固定接触子である。可動電磁片２４が引き外し片である。尚、要部の構成のみ示し、電路Ｌの一部を構成する可撓導線等は省略してある。
【００２５】
固定電磁片２３はコ字状に形成されて電路Ｌの周囲３方を囲むよう配置され、可動電磁片２４は板状に形成されて、固定電磁片２３の開放さた一方に配置され、開閉動作するよう端部に軸着部２４ａが形成されて固定電磁片２３に軸着されている。
そして、解除片２５は可動電磁片２４の自由端側の前方に回動軸２５ａを備えて配置され、先端部が可動電磁片２４に重なる様に固定電磁片２３側に配置され、両者は一直線上に配置されている。
【００２６】
上記の如く構成された電磁引き外し装置は、過電流が流れない定常状態では、図７（ａ）に示すように可動電磁片２４は固定電磁片２３から離れた開放状態にあり、過電流が発生したらその電磁力により固定電磁片２３に密着する方向へ回動動作する。図７（ｂ）はこうして回動を開始して当接した状態を示し、Ｓが当接点であり、先ず可動電磁片２４の軸着部２４ａに近い奥部に解除片２５の先端が当接して掛合する。
その後、回動が進むと、途中から図７（ｃ）に示すように可動電磁片２４の先端に当接点Ｓが移動し、解除片２５の奥部に当接して掛合する。即ち、可動電磁片２４は支点から作用点までの距離がｒ５からｒ７に変化して長くなる。一方、解除片２５は、支点から作用点までの距離がｒ６からｒ８に変化して短くなる。
【００２７】
このように、可動電磁片２４が回動しながら解除片２５と掛合するが、可動電磁片２４の支点である回動中心（軸着部２４ａ）から掛合点Ｓまでの距離、即ち支点から作用点までの距離が変化し、最初は短く、後半は長くなる。よって、力のモーメントの原理により小さな電磁力で遮断機構部２６を遮断動作させることができ、電磁引き外し装置の小型化が可能となる。
そして、この場合も上記形態と同様に、可動電磁片２４の回動により、可動電磁片２４の基部を解除片２５の先端に掛合動作させ、その後解除片２５の奥部に可動電磁片２４の先端を掛合させて遮断動作させるため、掛合開始時は可動電磁片２４と固定電磁片２３とは離れていて電磁吸引力が小さいが、解除片２５を操作することが可能となる。
一方、回動の後半では可動電磁片２４と固定電磁片２３とは近くなるため電磁吸引力は大きくなるため、回動支点から作用点までの距離が大きくなるが可動電磁片２４の先端で解除片２５を容易に操作でき、解除片２５を大きく移動させて確実な操作を実施できる。
【００２８】
＜第３の形態＞
図８は、回路遮断器の電磁引き外し装置の第３の形態の一例を示し、プランジャに引き外し片を設けた電磁引き外し装置の側面説明図である。図８において、（ａ）は過電流が流れていない定常状態、（ｂ）は過電流の発生を受けて検知動作を開始した状態、（ｃ）は検知動作が終了した状態を示している。３１は電路の一部を成して電路電流が流れるコイル、３２はコイル３１の中心軸上に配置されて過電流により引き込み動作するプランジャ、３３はプランジャの先端に基部３３ａが固着された引き外し片、３４は図示しない遮断機構部を動作させる解除片である。
【００２９】
上記の如く構成された電磁引き外し装置は、過電流が流れない定常状態では、図８（ａ）に示すように、引き外し片３３は解除片３４から離れた開放状態にある。そして、過電流が発生したら、その電磁力によりプランジャ３２がコイル３１内へ引き込まれて引き外し片３３が解除片３４に当接する方向へ平行移動する。図８（ｂ）はこうして移動を開始して当接した状態を示している。Ｓが当接した掛合点であり、先ず引き外し片３３の基部３３ａに近い奥部に解除片の先端が当接する。
その後、移動が進むと解除片３４が回動して掛合点Ｓが移動して、引き外し片３３の先端と解除片３４の奥部が掛合する。こうして、引き外し片３３はプランジャ３２に連結された支点からＳ点で示す作用点までの距離がｒ９からｒ１１に変化して長くなる。一方、解除片３４は、支点から作用点Ｓまでの距離がｒ１０からｒ１２に変化して短くなる。
【００３０】
このように、引き外し片３３は平行移動して解除片３４に掛合するが、支点であるプランジャ連結部３３ａから作用点である掛合点Ｓまでの距離が最初は短く、後半では長くできる。よって、力のモーメントの原理により小さな電磁力で遮断機構部を遮断動作させることができ、コイル３１を小さくでき電磁引き外し装置の小型化が可能となる。
【符号の説明】
【００３１】
１・・コイル、２・・ボビン、３・・オイルダッシュポット、４・・可動電磁片、４ａ・・一方の片、４ｂ・・他方の片、５・・継鉄、７・・解除片、１０・・電磁ユニット、２１・・保持片、２３・・固定電磁片、２４・・可動電磁片（引き外し片）、２５・・解除片、２６・・遮断機構部、３１・・コイル、３２・・プランジャ、３３・・引き外し片、３４・・解除片、４１・・吸引板、４２・・掛合部（回動中心）、４３・・引き外し片、５０・・支持部、Ｍ１・・回動中心、Ｍ２・・回動軸、Ｌ・・電路。
【図１】
2015179628.tif 000003
【図２】
2015179628.tif 000004
【図３】
2015179628.tif 000005
【図４】
2015179628.tif 000006
【図５】
2015179628.tif 000007
【図６】
2015179628.tif 000008
【図７】
2015179628.tif 000009
【図８】
2015179628.tif 000010